(57)【要約】【課題】気泡運転モード選択時であっても、湯水を昇温可能とすると共に、配管接続の誤判定を防止する。【解決手段】噴出口切替部４３は弁座部５８に当接する本体部４４ａを有し、この本体部４４ａの外縁に、追焚噴流噴出口２６に向かう湯水を切欠５９からリークさせると共に、湯水が追焚噴流噴出口２６に向かう湯水と反対方向に流れるとき、切欠５９を覆う逆止部４４ｂを設けたため、使用者が温度の高い湯水で気泡運転を行いたい場合、気泡運転モードを選択していても、安全装置を解除できる循環流量を得ることができる。【選択図】  図４
2010096386.tif 000002
【特許請求の範囲】
【請求項１】
追焚運転モードで追焚噴流を噴出する追焚噴流噴出口と、この追焚噴流噴出口と連通される追焚噴流流路と、気泡運転モードで気泡噴流を噴出させる気泡噴流噴出口と、この気泡噴流噴出口と連通される気泡噴流流路と、前記追焚噴流流路と気泡噴流流路とを択一的に選択する噴流流路選択手段とを有する循環アダプタにおいて、
気泡運転時に前記追焚噴流流路を閉止する閉止部と、
気泡運転時に前記追焚噴流流路から湯水をリークさせるリーク部とを有することを特徴とする循環アダプタ。
【請求項２】
前記気泡噴流流路に気泡噴流噴出口に向かう湯水と反対方向に向かう湯水を遮断する逆止弁を設けたことを特徴とする請求項１に記載の循環アダプタ。
【請求項３】
前記リーク部がリークする流量をＱ、前記逆止弁からリークする流量をＱＢ、気泡運転時に気泡噴流噴出口から噴出される流量をＱＭ、配管施工時に、前記追焚噴流流路と気泡噴流流路とが逆接続された場合、エラー信号が発せられる流量をＱＥとしたとき、リーク部のリーク流量Ｑは、
ＱＥ−ＱＢ≧Ｑ≧ＱＥ−ＱＭ
の関係を満たすことを特徴とする請求項２に記載の循環アダプタ。
【請求項４】
前記閉止部は弁体部と弁座部とを有し、前記リーク部は前記弁座部に設けられた切欠であることを特徴とする請求項１〜３の何れかに記載の循環アダプタ。
【請求項５】
前記弁体部は弁座部に当接するシール部材を有し、
このシール部材に、追焚噴流噴出口に向かう湯水を前記切欠からリークさせると共に、噴流が追焚噴流噴出口に向かう湯水と反対方向に流れるとき、前記切欠を覆う逆止部を設けたことを特徴とする請求項４に記載の循環アダプタ。
【発明の詳細な説明】
【技術分野】
【０００１】
本発明は風呂給湯器から浴槽に湯水を供給するために浴槽に取付けて使用される循環アダプタに関し、特に、追焚噴流を噴出する追焚噴流噴出口と気泡噴流を噴出する気泡噴流噴出口とを備えた循環アダプタに関するものである。
【背景技術】
【０００２】
従来、浴槽の風呂給湯システムは、風呂給湯器から新規な気泡を含まない高温の湯水を供給する湯張運転モード、浴槽内の気泡を含まない湯水を再度風呂給湯器に戻して加熱、再供給する追焚運転モード、微細な気泡を湯水に混在させて気泡噴流を浴槽に噴出させる気泡運転モード等消費者のニーズに合せて様々な湯水の供給形態を有している。
【０００３】
浴槽に取付けられる湯水噴出口、所謂循環アダプタにおいてはアダプタ単体で複数の運転モードの噴流を実現可能としなければならない。例えば、追焚運転モードでは安全の側面から高温の噴流が使用者に向かないよう浴槽下方に向けて噴出する必要がある一方、気泡運転モードでは噴流を使用者に向けて前方へ集中噴出する必要があり、これを一つの循環アダプタで運転モード毎に噴出方向を切替える必要がある。
【０００４】
特許文献１は、水平方向を向く気泡噴流噴出口と下方向を向く追焚噴流噴出口とを備えた循環アダプタであって、双方の噴出口に向かう噴流流路を形状記憶合金の作動によって切替える切替え弁を設け、湯水高温時は自動的に噴流流路を追焚噴流噴出口に向けると共に、常温時は気泡噴流噴出口に向けるよう構成した技術を提案している。
【０００５】
一方、循環アダプタの施工時、往き配管と戻り配管との接続を逆に接続すると、高温の噴流が使用者に直接噴出され、安全上問題がある。特許文献２は、湯水の吸込み側通路に、吸込み口から吸込み側通路内へ入る湯水を許容し、逆は阻止する逆止弁を設置する技術を提案している。
【０００６】
【特許文献１】特開平８−２９００２４号公報
【特許文献２】特許２００４−７７０７２号公報
【発明の開示】
【発明が解決しようとする課題】
【０００７】
ところで、風呂給湯システムでは、安全上の観点から所定の循環流量がなければ熱供給部の加熱動作は行われないように安全装置が設けられている。また、気泡噴流噴出口は気泡噴流を噴出する機構上、噴出流量が追焚噴流噴出口に比べて特に小径の構成とされている。つまり、使用者がある程度温度の高い噴流で気泡運転を行いたい場合であっても、気泡噴流噴出口を選択する限り、安全装置を解除できる循環流量を得ることができないという問題が生じる。しかも、使用者が噴出口の切替えを忘れて、気泡噴流噴出口の状態で追焚運転モードを選択した場合、小流量の循環が継続され、安全装置が解除されないという問題がある。
【０００８】
また、特許文献２のような逆止弁を備えた配管方向指定のある有極性の循環アダプタである場合、配管施工後の試運転において、配管内を循環する循環流量を検出することで誤接続判定を行っている。つまり、判定機器は、循環流量が所定流量より少ない場合、往き配管と戻り配管とが逆接続されていることをエラー信号によって施工者に報知する。循環アダプタを気泡運転モードで出荷する場合や、或いは施工時、運転モードスイッチが気泡運転モードに切替わっている場合では、配管が正接続であっても気泡噴流噴出口の噴出流量が少ないため、循環流量が少なく誤接続判定が行われる問題も存在する。
【０００９】
本発明の目的は、気泡運転モード選択時であっても、湯水を昇温可能とすると共に、循環流量を検出する判定機器による配管接続の誤判定を防止することである。
【課題を解決するための手段】
【００１０】
本発明の循環アダプタは、追焚運転モードで追焚噴流を噴出する追焚噴流噴出口と、この追焚噴流噴出口と連通される追焚噴流流路と、気泡運転モードで気泡噴流を噴出させる気泡噴流噴出口と、この気泡噴流噴出口と連通される気泡噴流流路と、前記追焚噴流流路と気泡噴流流路とを択一的に選択する噴流流路選択手段とを有する。
【００１１】
請求項１の発明は、気泡運転時に前記追焚噴流流路を閉止する閉止部と、気泡運転時に前記追焚噴流流路から湯水をリークさせるリーク部とを有することを特徴とする。
【００１２】
請求項１の発明では、気泡運転時に追焚噴流流路を閉止する閉止部を有するため、気泡運転モードを選択したとき、気泡噴流噴出口から気泡噴流を確実に噴出できる。更に、リーク部を有するため、気泡運転時に前記追焚噴流流路から湯水をリークすることができる。
【００１３】
請求項２の発明は、請求項１において、前記気泡噴流流路に気泡噴流噴出口に向かう湯水と反対方向に向かう湯水を遮断する逆止弁を設けたことを特徴とする。
【００１４】
請求項３の発明は、請求項２において、前記リーク部がリークする流量をＱ、前記逆止弁からリークする流量をＱＢ、気泡運転時に気泡噴流噴出口から噴出される流量をＱＭ、配管施工時に、前記追焚噴流流路と気泡噴流流路とが逆接続された場合、エラー信号が発せられる流量をＱＥとしたとき、リーク部のリーク流量Ｑは、
ＱＥ−ＱＢ≧Ｑ≧ＱＥ−ＱＭ
の関係を満たすことを特徴とする。
【００１５】
請求項４の発明は、請求項１〜３の何れかにおいて、前記閉止部は弁体部と弁座部とを有し、前記リーク部は前記弁座部に設けられた切欠であることを特徴とする。
【００１６】
請求項５の発明は、請求項４において、前記弁体部は弁座部に当接するシール部材を有し、このシール部材に、追焚噴流噴出口に向かう湯水を前記切欠からリークさせると共に、湯水が追焚噴流噴出口に向かう湯水と反対方向に流れるとき、前記切欠を覆う逆止部を設けたことを特徴とする。
【発明の効果】
【００１７】
請求項１の発明によれば、気泡運転時に前記追焚噴流流路を閉止する閉止部と、気泡運転時に前記追焚噴流流路から追焚噴流をリークさせるリーク部とを有するため、気泡運転モード選択時であっても、湯水を昇温可能とすると共に、循環流量を検出する判定機器による配管接続の誤判定を防止することができる。
【００１８】
つまり、気泡運転時に追焚噴流流路から湯水をリークすることができるため、使用者が温度の高い湯水で気泡運転を行いたい場合、気泡運転モードを選択しても、安全装置を解除できる循環流量を得ることができる。更に、循環アダプタを気泡運転モードで出荷する場合、或いは配管施工時、モード設定機構が気泡運転モードに切替わっている場合であっても、所定の循環流量を得ることができ、配管施工時、判定機器による誤接続判定を防止できる。
【００１９】
請求項２の発明によれば、前記気泡噴流流路に気泡噴流噴出口に向かう湯水と反対方向に向かう湯水とを遮断する逆止弁を設けたため、往き配管と戻り配管とが逆接続された場合、アダプタ内の循環流量を減少することができ、判定機器による誤接続判定が確実に行える。
【００２０】
請求項３の発明によれば、前記リーク部がリークする流量をＱ、前記逆止弁からリークする流量をＱＢ、気泡運転時に気泡噴流噴出口から噴出される流量をＱＭ、配管施工時に、前記追焚噴流流路と気泡噴流流路とが逆接続された場合、エラー信号が発せられる流量をＱＥとしたとき、リーク部のリーク流量Ｑは、
ＱＥ−ＱＢ≧Ｑ≧ＱＥ−ＱＭ
の関係を満たすため、気泡運転モード選択時の湯水の昇温と配管接続の誤判定防止とを精度良く両立可能なリーク部を得ることができる。
【００２１】
請求項４の発明によれば、閉止部は弁体部と弁座部とを有し、リーク部は前記弁座部に設けられた切欠であるため、簡易な構成でリーク部を形成できる。
【００２２】
請求項５の発明によれば、弁体部は弁座部に当接するシール部材を有し、このシール部材に、追焚噴流噴出口に向かう湯水を前記切欠からリークさせると共に、湯水が追焚噴流噴出口に向かう湯水と反対方向に流れるとき、前記切欠を覆う逆止部を設けたため、１つの逆止部で精度の良いリーク制御が可能となる。
【発明を実施するための最良の形態】
【００２３】
以下、本発明を実施する為の最良の形態について実施例に基づいて説明する。
【実施例】
【００２４】
図１に示すように、実施例の風呂供給システムは、浴槽１、風呂給湯器２、循環回路３及び循環アダプタ４から構成される。風呂給湯器２は燃焼部と熱交換部とからなる熱供給部５と水や湯水を循環させるためのポンプ６とから構成され、夫々の機器はコントローラ７によって制御される。また、コントローラ７は操作パネル８に電気的に接続されており、使用者が操作パネル８上に設置されている運転モード毎に設けられた押し釦を押すことによって風呂の湯張指示や各種モード選択信号がコントローラ７に伝達され風呂給湯器２の作動が開始される。
【００２５】
湯張時及びその他給湯時の水や湯水の流通回路について説明する。導入路９に導入された水が第１流量センサ１０を経て熱供給部５に供給され、排出路１１を通って浴槽１及びその他の給湯系装置に供給される経路となっている。
【００２６】
気泡運転時及び追焚運転時には、循環回路３は復路１２と往路１３とから構成されている。ポンプ６の作動により循環アダプタ４から吸入された浴槽１の湯水は復路１２を経て熱供給部５で加熱されて往路１３を通り循環アダプタ４から浴槽１に供給される経路となっている。ポンプ６の下流の復路１２には第２流量センサ１４が設けられ、安全上の観点から、例えば３．５Ｌ/分以上の流量がなければ熱供給部５の点火及び加熱動作は行われないように設定している。尚、排出路１１と復路１２とは分岐排出路１５で接続されており、その連通は電磁弁１６により制御される。尚、１７はガス供給路を示している。
【００２７】
次に、循環アダプタ４について図２〜図４に基づいて説明する。尚、各図の部材は、気泡運転モードの作動を示している。図２は循環アダプタ４の正面図、図３は図２のIII−III線断面図を示し、図４は図２のIV−IV線断面図を示す。図３に示すように、循環アダプタ４は、浴槽１の外側に配設される第１筒状体１８と、浴槽１の内部側から浴槽側壁１ａに貫通状に配設されて第１筒状体１８に螺合される第２筒状体１９とを有している。第１、第２筒状体１８，１９は夫々フランジを備えており、環状パッキン２０，２１により浴槽側壁１ａと両フランジとのシール性を確保している。
【００２８】
循環アダプタ４の浴槽側表面部分には、切替弁ケース２３を覆う形で、噴出ノズル４８を備えたカバー部２７が装着されている。カバー部２７は、カバー部２７の前方表面の大半を形成する金属製の網部材からなる金網部４９と、金網部４９の中央下部で吸込口２５の正面に位置する樹脂製の中央部５０と、中央部５０の上方に隣接し、気泡噴流噴出口２４のテーパ部２４ａ正面に装着される樹脂製の噴出ノズル４８と、第２筒状体１９と切替弁ケース２３のフランジに装着可能な外周フランジ部５１とから構成している。
【００２９】
噴出ノズル４８は、開口部５２と、開口部５２の上方に位置する庇部５３と、開口部５２の下方に位置し、浴槽１に向かってテーパ状に拡開するノズルガイド部５４と、金網部４９と係合固定可能な図示しない係合部とから構成する。
【００３０】
第２筒状体１９の内周側には、第２筒状体１９にボルト２２により固定される切替弁ケース２３が配設され、この切替弁ケース２３の表面前方には気泡噴流噴出口２４とその奥部には浴槽内に向かって拡開するテーパ部２４ａと吸込口２５とが設けられると共に、槽底方向に向かって横穴状の追焚噴流噴出口２６が形成されている。本実施例における気泡噴流噴出口２４の吐出流量は、流路抵抗がない場合、３．５Ｌ/分以上に設定している。
【００３１】
第１筒状体１８の端壁部２８には、吸入管２９と吐出管３０と吸気管３１の３つのポート部分が形成されており、吸入管２９は往路１３と、吐出管３０は復路１２とに夫々連結されている。吸気管３１は、フィルタ、オリフィス及び逆止弁等を備えた図示しない吸気ユニットと吸気パイプを介して接続されている。
【００３２】
切替弁ケース２３は、第２筒状体１９の内周面に嵌合する外筒部３２と、外筒部３２と協働して複数の機能空間を形成する内筒部３３とを備える。つまり、外筒部３２と内筒部３３とによって切替弁ケース２３内部には、気泡噴流噴出口２４のテーパ部２４ａが設けられる円柱状の旋回室３４及び吸込口２５が設けられる吸込室３５、更に、図４に示すように、旋回室３４と並設されると共に連通路３６で接続される旋回予備室３７、旋回予備室３７と並設されると共に追焚噴流噴出口２６と連通可能な供給室３８及び旋回予備室３７と供給室３８とに対して反浴槽側に直列状に配置される吸入室３９の５つの機能空間が存在している。
【００３３】
旋回室３４には浴槽側先端が円錐形状の吸気ノズル４０が設置されている。この吸気ノズル４０の内部には吸気管３１と連続する吸気孔４１が設けられており、吸気孔４１から導入された空気を旋回室３４の長手方向中央部分に設けられた連通路３６の開口３６ａに向けて供給するように構成されている。
【００３４】
連通路３６はその接続方向が円柱状の旋回室３４に対して接線方向となるように連通されている。この構成により、旋回予備室３７から導入される湯水が旋回室３４の内周形状に沿って高速旋回することになり、空気の吸引、気泡の微細化及び所定周波数の超音波の発生等に適した旋回回転数を得ることができる。尚、本循環アダプタ４においては、旋回回転数を３０，０００〜４０，０００回転/分となるように構成されている。
【００３５】
旋回予備室３７は、一端が連通路３６に接続され、他端に複数の溝部５５を有する円筒状の第１旋回予備室３７ａと、第１旋回予備室３７ａより大径で円筒状の第２旋回予備室３７ｂと、第２旋回予備室３７ｂの反連通路３６側端部に圧入された樹脂製の弁座５６と、
第２旋回予備室３７ｂより小径で且つ第１旋回予備室３７ａより大径の樹脂製の球体５７とから構成される。
【００３６】
弁座５６は、旋回予備室３７内方に面する第１開口５６ａと、旋回予備室３７外方に面する第２開口５６ｂとから構成されている。第１開口５６ａは第２開口５６ｂに対して、旋回予備室３７の軸心方向に偏心した位置に形成されている。
【００３７】
湯水が、気泡噴流噴出口２４に向かう方向に流れるとき、湯水によって押された球体５７が第１旋回予備室３７ａの他端に着座する。このとき、複数の溝部５５は球体５７によって閉止されないため、湯水は溝部５５を通過し、連通路３６に向かって進行できる。一方、気泡噴流噴出口２４に向かう湯水と反対方向に流れるとき、湯水によって押された球体５７が弁座５６の第１開口５６ａに着座するため、湯水の第１開口５６ａから先の移動は遮断される。つまり、溝部５５と弁座５６と球体５７とによって逆止弁を構成している。
【００３８】
切替弁ケース２３には、内筒部３３を貫通し、噴流の噴出口を気泡噴流噴出口２４と追焚噴流噴出口２６とに切替え制御する噴出口切替部４３が設けられている。噴出口切替部４３は、第１切替弁４４と、この第１切替弁４４を浴槽側端部に固定する軸部４５と、この軸部４５の反浴槽側端部に固定される第２切替弁４６とで構成されている。
【００３９】
第１切替弁４４は、略円形の樹脂製本体部４４ａ（シール部）と、本体部４４ａの外縁に一体的に設けられ、本体部４４ａに比べて厚みが薄く弾性変形可能な円環状の逆止部４４ｂとから傘型形状に構成される。本体部４４ａは、供給室３８と追焚噴流噴出口２６との間に設けられた略円形の弁座部５８に当接、着座することで閉止可能に構成される。弁座部５８の下方領域の一部には、楔状の切欠５９が設置され、本体部４４ａが着座したとき、逆止部４４ｂによって覆われる配置となっている。
【００４０】
本体部４４ａが弁座部５８に着座したとき、逆止部４４ｂは、追焚噴流噴出口２６に向かう噴流によって切欠５９から噴流をリークさせる方向に弾性変形する。このとき、切欠５９がリークする流量をＱ、前記溝部５５と弁座５６と球体５７とによって構成される逆止弁からリークする流量をＱＢ、気泡運転時に気泡噴流噴出口２４から噴出される流量をＱＭ、配管施工時に、追焚噴流流路と気泡噴流流路とが逆接続された場合、エラー信号が発せられる流量をＱＥとすると、切欠５９のリーク流量Ｑは、次式、
ＱＥ−ＱＢ≧Ｑ≧ＱＥ−ＱＭ                          …（１）
の関係を満たすように設定されている。尚、本実施例における接続配管判定機器は、配管内を流れる流量が少なくとも安全装置の判定基準以上の値、例えば、３．５Ｌ/分以下の場合、エラー信号を発する設定となっている。
【００４１】
一方、本体部４４ａが弁座部５８に着座すると共に、湯水が追焚噴流噴出口２６に向かう湯水と反対方向に流れるとき、逆止部４４ｂは、湯水に押されるため、切欠５９を覆う状態で弁座部５８に密着し、湯水の進行を完全に遮断する。
【００４２】
第２切替弁４６は、第２開口５６ｂに着座することによって旋回予備室３７と吸入室３９との連通状態を制御すると共に、吸入室３９と供給室３８とを常時連通させるように構成される。第１切替弁４４と第２切替弁４６との位置関係は、第１切替弁４４が弁座部５８に着座することで供給室３８を閉止している時は第２切替弁４６が開弁し、逆に、第２切替弁４６が旋回予備室３７を閉止している時は第１切替弁４４が開弁するようにされている。尚、第２切替弁４６を小型化するために、第２開口５６ｂは旋回予備室３７の軸心に対して弁軸４５方向に偏心配置されている。
【００４３】
内筒部３３の中央部分に設けられる受部６０に設けられる第１受座６１と第１支持部６２との間にはバイアスバネ６３が配置され、第２支持部６４と内筒部３３に固定される第２受座６５との間には形状記憶合金製バネ４７が配置されている。バイアスバネ６３と形状記憶合金製バネ４７との張力はバランスが保たれており、噴出口切替部材４３の位置、所謂第１切替弁４４と第２切替弁４６との状態は形状記憶合金製バネ４７の張力が変わらない限り変化しないように構成されている。
【００４４】
具体的に説明すると、湯水が低温或いは常温時では、形状記憶合金製バネ４７は収縮状態となっている。このとき、バイアスバネ６３と形状記憶合金製バネ４７との張力はバランスが保たれている。第１切替弁４４は弁座部５８に着座して供給室３８を閉止すると共に第２切替弁４６は開弁していることから、殆どの湯水は、旋回予備室３７、連通路３６を経て旋回室３４に供給される。一部の湯水は、逆止部４４ｂが湯水をリークさせる方向に弾性変形するため、切欠５９から追焚噴流噴出口２６にリークされる。
【００４５】
次に、高温の湯水、例えば４８℃の湯水が循環アダプタ４内に供給されると、形状記憶合金製バネ４７が温度変化に感応して伸張し、形状記憶合金製バネ４７の張力がバイアスバネ６３の張力を上回ることから、第１切替弁４４が開弁し第２切替弁４６が第２開口５６ｂに着座する。
【００４６】
図１、図５〜図７に基づいて、各運転モードにおける作動について説明する。尚、図１は気泡運転モード、図５は湯張運転モード、図６は追焚運転モード、図７は往路１３と復路１２とを逆接続した場合の湯水の流れを示している。
【００４７】
（気泡運転モード）
図１に示すように、操作パネル８上で気泡運転モードを選択すると、コントローラ７がポンプ６を作動させ、浴槽内の湯水を吸込口２５から吸込室３５を経て復路１２に導入する。この時、熱供給部５は作動しておらず、復路１２に導入された温度のまま湯水は循環し往路１３を通り吸入室３９に導入される。吸入室３９内部に設置された形状記憶合金製バネ４７がこの湯水温度に感応して収縮動作を行い、第１切替弁４４を閉弁すると共に第２切替弁４６を開弁動作させる。
【００４８】
吸入室３９から球体５７と溝部５５との隙間を通過して旋回予備室３７に入った湯水は、連通路３６を通り連通路開口３６ａから旋回室３４に導入される。連通路３６は旋回室３４の接線方向に接続されているため、湯水は旋回室３４の長手方向の中心軸を中心に高速旋回を行い、所定の負圧が旋回室３４内に発生する。この負圧により、空気は吸気ユニットから吸気孔４１を経由して旋回室３４の中央部分に吸引され、湯水と混合されることになる。この気泡混合湯水が旋回しながら水平方向に開口する気泡噴流噴出口２４から噴出される。尚、一部の湯水は切欠５９から追焚噴流噴出口２６に送られる。
【００４９】
また、操作パネル８上で前記気泡運転モードから追焚運転モードに切替えた場合、或いは、図示しない噴出口選択機構で気泡噴流噴出口２４を固定した状態で追焚運転モードを選択した場合、コントローラ７の指示によりポンプ６が作動を開始する。ポンプ６の作動開始後、第２流量センサ１４による検出流量が３．５Ｌ/分以上になった時点で、熱供給部５が作動を開始する。尚、湯水の流量は、気泡噴流噴出口２４からの噴出と切欠５９からのリークによって熱供給部５の作動流量以上となっている。
【００５０】
（湯張運転モード）  
図５に示すように、操作パネル８で湯張運転モードを選択すると、水が導入管９に導入され熱供給部５に移動した水は加熱された後、排出管１１に進行する。この時、コントローラ７の指示により、電磁弁１６が開作動して湯は分岐排出管１５を経由して復路１２に導かれて一部の湯水は復路１２から循環アダプタ４へ導入され、吸込口２５から供給される。尚、吸込口２５から湯水が供給されるのは湯張運転モードの時のみである。
【００５１】
図５に示すように、残りの湯水は往路１３を通り吸入室３９に導入される。吸入室３９に導入された湯水の温度（例えば、５０℃）を吸入室３９内部に設置された形状記憶合金製バネ４７が温度感応して伸張し、第２切替弁４６が旋回予備室３７への経路を遮断すると共に第１切替弁４４を開作動する。湯水を供給室３８から浴槽下向きの追焚噴流噴出口２６に送られる。
【００５２】
（追焚運転モード）
図６に示すように、追焚運転モードを選択すると、コントローラ７の指示によりポンプ６及び熱供給部５が作動を開始し、浴槽内の湯水を吸込口２５から復路１２に導入する。熱供給部５により加熱された湯水は往路１３を通り吸入室３９に導入される。吸入室３９以降の経路は湯張運転モードと同様である。尚、電磁弁１６は非作動となっており、分岐排出管１５と循環回路３との接続は遮断されている。
【００５３】
（配管施工時、往路１３と復路１２とを逆接続した場合）
図７に示すように、往路１３と復路１２とを逆接続した場合、コントローラ７がポンプ６を作動させるため、配管内に残留していた湯水は復路１２から吸込室３５を通過して吸込口２５から噴出される。ポンプ６の作動によって湯水が吸引されるため、何も閉止するものがなければ、気泡噴流噴出口２４から吸引される湯水Ａ１と、追焚噴流噴出口２６から吸引される湯水Ａ２とが配管内の循環流量になる。
【００５４】
湯水Ａ１が旋回室３４から連通路３６を経由して旋回予備室３７に進行すると、湯水Ａ１に押された球体５７が弁座５６の第１開口５６ａに移動し着座する。この球体５７による第１開口５６ａの閉止動作によって、湯水Ａ１の吸入室３９への進行は遮断される。樹脂製の球体５７と樹脂製の第１開口５６ａとの当接であるため、多少のリークが発生するものの、極微量である。
【００５５】
湯水Ａ２が追焚噴流噴出口２６を進行すると、湯水Ａ２は低温或いは常温であるため、バイアスバネ６３と形状記憶合金製バネ４７との張力はバランスが保たれており、第１切替弁４４は弁座部５８に着座していることから、切欠５９以外の弁座部５８は、本体部４４ａによって閉止されている。
【００５６】
更に、切欠５９の領域では、湯水Ａ２に押された逆止部４４ｂが、切欠５９を覆う状態で弁座部５８に密着する。この逆止部４４ｂは、本体部４４ａと一体的で且つ弾性変形可能な極薄い厚さとされるため、微少な流量でも切欠５９を覆う状態で弁座部５８に密着可能である。
【００５７】
前述したように、往路１３と復路１２とを逆接続した場合、ポンプ６を作動させても、湯水Ａ１と湯水Ａ２とが夫々閉止され循環流量は発生しない。従って、配管施工完了後、接続配管の判定機器を用いて判定したとき、循環流量が発生しないため、施工者はエラー信号により誤接続を検知することができる。
【００５８】
次に、本循環アダプタ４の作用効果について、説明する。
気泡運転時に供給室３８に設置された弁座部５８を閉止する噴出口切替部４３と、気泡運転時に湯水をリークさせる切欠５９とを有するため、使用者が温度の高い湯水で気泡運転を行いたい場合、気泡運転モードを選択していても、安全装置を解除できる循環流量を得ることができる。
【００５９】
また、気泡運転から連続して追焚運転に切替えたとしても、安全装置を解除できる循環流量を確保しているため、熱供給部５の作動開始が可能となる。更に、循環アダプタ４を気泡運転モードで出荷する場合、或いは配管施工時、モードスイッチが気泡運転モードに切替わっている場合であっても、安全装置を解除できる循環流量を得ることができ、循環流量を検出する判定機器による誤接続判定を防止できる。
【００６０】
更に、気泡噴流噴出口２４に向かう湯水と反対方向に向かう湯水を遮断する溝部５５と弁座５６と球体５７とからなる逆止弁を設けたため、往路１３と復路１２とが逆接続された場合、アダプタ４内の循環流量を減少することができ、判定機器による誤接続判定が確実に行える。
【００６１】
切欠５９のリーク流量Ｑは、式（１）を満たすように設定されているため、気泡運転モード選択時の湯水の昇温と配管接続の誤判定防止とを精度良く両立できる。更に、弁座部５８に一体的に切欠５９を設けたため、簡易な構造でリーク部を形成できる。
【００６２】
第１切替弁４４は弁座部５８に当接する本体部４４ａを有し、この本体部４４ａの外縁に、追焚噴流噴出口２６に向かう湯水を切欠５９からリークさせると共に、湯水が追焚噴流噴出口２６に向かう湯水と反対方向に流れるとき、切欠５９を覆う逆止部４４ｂを設けたため、１つの逆止部４４ｂで精度の良いリーク制御が可能となる。
【００６３】
次に、前記実施例を部分的に変更した変形例について説明する。
１〕前記実施例においては、リーク部として、弁座部５８に一体的に設けた切欠５９とした例について説明したが、弁座部５８と離間して設置することも可能であり、少なくとも気泡噴流を噴出口可能で安全装置解除の循環流量が確保できるものであれば適用可能である。また、形状も、楔状に限られず様々な形状が適用可能である。
【００６４】
２〕前記実施例においては、気泡噴流噴出口２４側の湯水を閉止する第２切替弁４６と追焚噴流噴出口２６側の湯水を閉止する第１切替弁４４とを同一弁軸４５に一体的に設けた例について説明したが、夫々運転モードを切替えるものであれば適用可能である。
【００６５】
３〕前記実施例においては、湯張運転モードと追焚運転モードと気泡運転モードとの３モードを備える例について説明したが、その他のモードを備えてもよく、少なくとも、追焚運転モードと気泡運転モードとを有する循環アダプタに適用できる。
【００６６】
４〕その他、当業者であれば、本発明の趣旨を逸脱することなく、前記実施例に種々の変更を付加した形態で実施可能であり、本発明はそのような変更形態も包含するものである。
【図面の簡単な説明】
【００６７】
【図１】本発明の実施例に係る風呂給湯システムの全体説明図である。
【図２】本実施例に係る循環アダプタの正面図である。
【図３】図２におけるIII−III線断面を示す図である。
【図４】図２におけるIV−IV線断面を示す図である。
【図５】本実施例に係る湯張運転モードを説明する作動摸式図である。
【図６】本実施例に係る追焚運転モードを説明する作動摸式図である。
【図７】本実施例に係る往路と復路とを逆接続した場合を説明する作動摸式図である
【符号の説明】
【００６８】
１            浴槽
２            風呂給湯器
４            循環アダプタ
２４          気泡噴流噴出口
２５          吸込口
２６          追焚噴流噴出口
３４          旋回室
３７          旋回予備室
３８          供給室
４３          噴出口切替部
４４          第１切替弁
４４ａ        本体部
４４ｂ        逆止部
４６          第２切替弁
４７          形状記憶合金製バネ
５５          溝部
５６          弁座
５７          球体
５８          弁座部
５９          切欠
【図１】
2010096386.tif 000003
【図２】
2010096386.tif 000004
【図３】
2010096386.tif 000005
【図４】
2010096386.tif 000006
【図５】
2010096386.tif 000007
【図６】
2010096386.tif 000008
【図７】
2010096386.tif 000009